(57)【要約】      （修正有）【課題】機器と接続するための該機器を特定する情報を確実に取得する。【解決手段】情報処理システムは、携帯端末装置と、該携帯端末装置から予め定義された第１のインタフェースを介して送信される実行要求に応じて所定の処理を実行する情報処理装置とを含む情報処理システムであって、携帯端末装置は情報処理装置と直接通信を行う予め定義された第２のインタフェースを介して情報処理装置を特定する情報を含む信号を情報処理装置から受け付ける受付手段と、信号を受け付けた際に信号にノイズが含まれていると判断された場合、第２のインタフェースを介して情報処理装置を特定する情報の出力の再送を要求し、受け付けた情報処理装置を特定する情報に基づいて、第１のインタフェースを介して実行要求を送信し、所定の処理を実行するよう制御する制御手段とを有する。【選択図】図７
2014179955.tif 000002
【特許請求の範囲】
【請求項１】
携帯端末装置と、該携帯端末装置から予め定義された第１のインタフェースを介して送信される実行要求に応じて所定の処理を実行する情報処理装置とを含む情報処理システムであって、
前記携帯端末装置は、
前記情報処理装置と直接通信を行う予め定義された第２のインタフェースを介して前記情報処理装置を特定する情報を含む信号を前記情報処理装置から受け付ける受付手段と、
前記受付手段により前記第２のインタフェースを介して前記信号を受け付けた際に前記信号にノイズが含まれているかを判断する判断手段と、
前記判断手段により前記信号にノイズが含まれていると判断された場合、前記第２のインタフェースを介して前記情報処理装置を特定する情報の出力の要求を前記情報処理装置に出力する要求出力手段と、
前記判断手段により前記信号にノイズが含まれていると判断されなかった場合、前記受付手段で受け付けた信号に含まれる前記情報処理装置を特定する情報に基づいて、前記第１のインタフェースを介して前記実行要求を送信する送信手段とを有し、
前記情報処理装置は、
当該情報処理装置を特定する情報を前記第２のインタフェースを介して出力する特定情報出力手段と、
前記特定情報出力手段により出力された前記情報処理装置を特定する情報に基づいて、前記第１のインタフェースを介して前記携帯端末装置から送信される前記実行要求に応じて所定の処理を実行するよう制御する制御手段とを有する情報処理システム。
【請求項２】
前記要求出力手段は、前記携帯端末装置の周辺の前記ノイズが所定のノイズ強度以上である場合、前記情報処理装置を特定する情報の出力の要求を前記情報処理装置に出力する請求項１記載の情報処理システム。
【請求項３】
前記要求出力手段は、前記受付手段が初回に受け付けた前記情報処理装置を特定する情報と、次に受け付けた前記情報処理装置を特定する情報とが一致しない場合、前記情報処理装置を特定する情報の出力の要求を前記情報処理装置に行う請求項１又は２記載の情報処理システム。
【請求項４】
前記携帯端末装置は、
前記受付手段が初回に受け付けた前記情報処理装置を特定する情報と、次に受け付けた前記情報処理装置を特定する情報とが一致する場合、前記情報処理装置を特定する情報に基づき前記第１のインタフェース手段を介して前記情報処理装置への接続処理を行う接続手段を有する請求項１乃至３のいずれか一項に記載の情報処理システム。
【請求項５】
前記情報処理装置を特定する情報は、ＩＰアドレスであり、
前記第１のインタフェースは、ＩＥＥＥ８０２．１１規格に準拠する無線ＬＡＮインタフェースである請求項１乃至４のいずれか一項に記載の情報処理システム。
【請求項６】
前記第２のインタフェースは、音波を用いたインタフェースである請求項１乃至５のいずれか一項に記載画の情報処理システム。
【請求項７】
所定の処理を実行する情報処理装置に対して、予め定義された第１のインタフェースを介して前記所定の処理の実行要求を送信する携帯端末装置であって、
前記情報処理装置と直接通信を行う予め定義された第２のインタフェースを介して前記情報処理装置を特定する情報を含む信号を前記情報処理装置から受け付ける受付手段と、
前記受付手段により前記第２のインタフェースを介して前記信号を受け付けた際に前記信号にノイズが含まれているかを判断する判断手段と、
前記判断手段により前記信号にノイズが含まれていると判断された場合、前記第２のインタフェースを介して前記情報処理装置を特定する情報の出力の要求を前記情報処理装置に出力する要求出力手段と、
前記判断手段により前記信号にノイズが含まれていると判断されなかった場合、前記受付手段で受け付けた信号に含まれる前記情報処理装置を特定する情報に基づいて、前記第１のインタフェースを介して前記実行要求を送信する送信手段とを有する携帯端末装置。
【請求項８】
所定の処理を実行する情報処理装置に対して、予め定義された第１のインタフェースを介して前記所定の処理の実行要求を送信する携帯端末装置が、前記情報処理装置を特定する情報を取得する情報取得方法であって、
前記情報処理装置と直接通信を行う予め定義された第２のインタフェースを介して前記情報処理装置を特定する情報を含む信号を前記情報処理装置から受け付ける受付ステップと、
前記受付ステップにより前記第２のインタフェースを介して前記信号を受け付けた際に前記信号にノイズが含まれているかを判断する判断ステップと、
前記判断ステップにより前記信号にノイズが含まれていると判断された場合、前記第２のインタフェースを介して前記情報処理装置を特定する情報の出力の要求を前記情報処理装置に出力する要求出力ステップと、
前記判断ステップにより前記信号にノイズが含まれていると判断されなかった場合、前記受付ステップで受け付けた信号に含まれる前記情報処理装置を特定する情報に基づいて、前記第１のインタフェースを介して前記実行要求を送信する送信ステップとを有する情報取得方法。
【請求項９】
所定の処理を実行する情報処理装置に対して、予め定義された第１のインタフェースを介して前記所定の処理の実行要求を送信する携帯端末装置において実行されるプログラムであって、
前記携帯端末装置を、
前記情報処理装置と直接通信を行う予め定義された第２のインタフェースを介して前記情報処理装置を特定する情報を含む信号を前記情報処理装置から受け付ける受付手段、
前記受付手段により前記第２のインタフェースを介して前記信号を受け付けた際に前記信号にノイズが含まれているかを判断する判断手段、
前記判断手段により前記信号にノイズが含まれていると判断された場合、前記第２のインタフェースを介して前記情報処理装置を特定する情報の出力の要求を前記情報処理装置に出力する要求出力手段、
前記判断手段により前記信号にノイズが含まれていると判断されなかった場合、前記受付手段で受け付けた信号に含まれる前記情報処理装置を特定する情報に基づいて、前記第１のインタフェースを介して前記実行要求を送信する送信手段として機能させるプログラム。
【請求項１０】
所定の処理を実行する情報処理装置と、該情報処理装置に対して、予め定義された第１のインタフェースを介して前記所定の処理の実行要求を送信する携帯端末装置において実行されるアプリケーションとを有する情報処理システムであって、
前記アプリケーションは、
前記情報処理装置と直接通信を行う予め定義された第２のインタフェースを介して前記情報処理装置を特定する情報を含む信号を前記情報処理装置から受け付ける受付手段と、
前記受付手段により前記第２のインタフェースを介して前記信号を受け付けた際に前記信号にノイズが含まれているかを判断する判断手段と、
前記判断手段により前記信号にノイズが含まれていると判断された場合、前記第２のインタフェースを介して前記情報処理装置を特定する情報の出力の要求を前記情報処理装置に出力する要求出力手段と、
前記判断手段により前記信号にノイズが含まれていると判断されなかった場合、前記受付手段で受け付けた信号に含まれる前記情報処理装置を特定する情報に基づいて、前記第１のインタフェースを介して前記実行要求を送信する送信手段とを有し、
前記情報処理装置は、
当該情報処理装置を特定する情報を前記第２のインタフェースを介して出力する特定情報出力手段と、
前記特定情報出力手段により出力された前記情報処理装置を特定する情報に基づいて、前記第１のインタフェースを介して前記携帯端末装置から送信される前記実行要求に応じて所定の処理を実行するよう制御する制御手段とを有する情報処理システム。
【発明の詳細な説明】
【技術分野】
【０００１】
本発明は、情報処理システム、携帯端末装置、情報取得方法及びプログラムに関する。
【背景技術】
【０００２】
昨今、スマートフォンやタブレット端末等のスマートデバイスの普及に伴い、スマートデバイスに保存されたドキュメントや写真、ウェブページ等の画像データを、画像形成装置等を用いて手軽に印刷したいというユーザのニーズがある。このように、スマートデバイス（携帯端末）から画像形成装置に画像データを送信するためには、携帯端末が画像形成装置のアドレス情報（例えばＩＰアドレス等）を、通信を行う前に特定しておく必要がある。
【０００３】
そこで、特許文献１には、画像形成装置と携帯端末との認証処理におけるユーザの操作負担を減らすことを目的として、第１の無線通信手段と第２の無線通信手段を有する画像形成装置において、第１の無線通信手段が第２の無線通信手段が携帯端末と通信するためのアクセス情報を取得し、取得したアクセス情報に基づき第２の無線通信手段により通信を行う技術が記載されている。
【０００４】
しかしながら、無線通信では、通信を行う機器間の距離が一定以上離れていたり、機器間に障害物があったりする場合のように、通信環境によっては確実に誤りの無いデータの送受信ができない場合があり得るという問題がある。
【発明の概要】
【発明が解決しようとする課題】
【０００５】
上述した特許文献１に記載の技術では、通信を行う機器で通信に用いられるデータ（アクセス情報）を取得することはできるが、通信環境によっては確実に誤りの無いデータを取得することができないという問題を解決できない。
【０００６】
本発明は、上記の点に鑑みなされたもので、機器と接続するための該機器を特定する情報を確実に取得することを目的とする。
【課題を解決するための手段】
【０００７】
そこで上記課題を解決するため、本発明の情報処理システムは、携帯端末装置と、該携帯端末装置から予め定義された第１のインタフェースを介して送信される実行要求に応じて所定の処理を実行する情報処理装置とを含む情報処理システムであって、前記携帯端末装置は、前記情報処理装置と直接通信を行う予め定義された第２のインタフェースを介して前記情報処理装置を特定する情報を含む信号を前記情報処理装置から受け付ける受付手段と、前記受付手段により前記第２のインタフェースを介して前記信号を受け付けた際に前記信号にノイズが含まれているかを判断する判断手段と、前記判断手段により前記信号にノイズが含まれていると判断された場合、前記第２のインタフェースを介して前記情報処理装置を特定する情報の出力の要求を前記情報処理装置に出力する要求出力手段と、前記判断手段により前記信号にノイズが含まれていると判断されなかった場合、前記受付手段で受け付けた信号に含まれる前記情報処理装置を特定する情報に基づいて、前記第１のインタフェースを介して前記実行要求を送信する送信手段とを有し、前記情報処理装置は、当該情報処理装置を特定する情報を前記第２のインタフェースを介して出力する特定情報出力手段と、前記特定情報出力手段により出力された前記情報処理装置を特定する情報に基づいて、前記第１のインタフェースを介して前記携帯端末装置から送信される前記実行要求に応じて所定の処理を実行するよう制御する制御手段とを有する。
【発明の効果】
【０００８】
機器と接続するための該機器を特定する情報を確実に取得できる。
【図面の簡単な説明】
【０００９】
【図１】本発明の実施の形態における画像形成システムの構成の一例を示す図である。
【図２】本発明の実施の形態における携帯端末のハードウェア構成の一例を示す図である。
【図３】本発明の実施の形態における画像形成装置のハードウェア構成の一例を示す図である。
【図４】本発明の実施の形態における携帯端末の機能構成の一例を示す図である。
【図５】本発明の実施の形態における接続情報記憶手段に記憶される情報の構成の一例を示す図である。
【図６】本発明の実施の形態におけるノイズ強度閾値記憶手段に記憶される情報の構成の一例を示す図である。
【図７】本発明の実施の形態における画像形成装置の機能構成の一例を示す図である。
【図８】本発明の実施の形態における画像形成システムで用いられる音波によるアドレス情報の通信の仕組みの一例を示す図である。
【図９】本発明の実施の形態における周辺ノイズ強度が閾値以上の場合の画像形成システムの動作手順の一例を示すシーケンス図である。
【図１０】本発明の実施の形態におけるＩＰアドレス取得アプリ起動後の初期画面の一例を示す図である。
【図１１】本発明の実施の形態における画像形成装置への接続時のブザー音及びランプ点灯色の設定画面の一例を示す図である。
【図１２】本発明の実施の形態における周辺ノイズ強度が閾値未満の場合の画像形成システムの動作手順の一例を示すシーケンス図である。
【図１３】本発明の実施の形態における携帯端末でのアドレス情報取得の処理手順の一例を示したフローチャート図である。
【図１４】本発明の実施の形態における携帯端末の表示部に出力表示されるアドレス情報取得要求の応答結果の一例を示す図である。
【図１５】本発明の実施の形態の変形例における画像形成システムの動作手順の一例を示すシーケンス図である。
【図１６】本発明の実施の形態の変形例における携帯端末でのアドレス情報取得の処理手順の一例を示したフローチャート図である。
【発明を実施するための形態】
【００１０】
以下、本発明を実施するための形態について説明する。
［システム構成］
図１は、本発明の実施の形態における画像形成システムの構成の一例を示す図である。
【００１１】
本発明の実施の形態の画像形成システム１は、画像形成システム１に存在する機器のネットワーク上の所在を示すアドレス情報を、音波として他の機器に伝達し、そのアドレス情報を用いて機器間を接続し画像形成するシステムである。本発明の実施の形態におけるアドレス情報は、機器間の接続に用いられる機器を特定する情報である。本発明の実施の形態における音波は、弾性波による音周波数であり、可聴域の周波数帯域に限らず、超音波や低周波であってもよい。但し、音波の特性上、周囲の雑音（ノイズ）の影響により、音波に含まれたアドレス情報を正しく読み取れない等の場合が起こり得る。そのため、本発明の実施の形態の画像形成システム１は、音波の誤検知なく、正確にアドレス情報を取得する。ここで本発明の実施の形態におけるアドレス情報とは例えばＩＰアドレス（ＩＰｖ４又はＩＰｖ６は問わない。）である。なお、アドレス情報は、ＩＰアドレスに限らず、例えば通信方式にＢｌｕｅｔｏｏｔｈ（登録商標）が用いられる場合は物理アドレス情報等である。また、アドレス情報は、ＩＰアドレス等に加えて、例えば無線ＬＡＮ通信に用いるＳＳＩＤ（Service  Set  Identifier）等を含んでもよい。
【００１２】
画像形成システム１は、２つのＬＡＮ（Local  Area  Network）（ＬＡＮ１、ＬＡＮ２）を含むネットワーク９９を有し、ＬＡＮ同士はルータ３０１を介して接続されている。ＬＡＮ１には、携帯端末１００が接続され、ＬＡＮ２にはｎ台の画像形成装置２００ａ、２００ｂ、・・・２００ｎ（以下、それぞれを区別しない場合、「画像形成装置２００」という。）が接続されている。
【００１３】
携帯端末１００は、ＬＡＮ１に配置されている無線ＬＡＮアクセスポイント（以下、「アクセスポイント」という。）３００を介してＬＡＮ１に無線接続する。無線接続には例えばＩＥＥＥ８０２．１１規格に準拠する方式が用いられる。携帯端末１００とＬＡＮ１との接続は、ハブやＬ２スイッチがあれば有線接続することも可能だが、携帯端末１００にインタフェースが必要になり、また、ケーブルも必要になってしまうので、本実施形態では無線接続する。なお、アクセスポイント３００に接続するためには、ＳＳＩＤと暗号キーとが必要になる。本発明の実施の形態では、携帯端末１００はアクセスポイント３００を介してＬＡＮ１と接続することができる。
【００１４】
画像形成装置２００は、ＬＡＮ２に有線で接続されている。但し、画像形成装置２００とＬＡＮ２との接続は、アクセスポイントを介して無線で接続されてもよい。
【００１５】
ＬＡＮ１及びＬＡＮ２にはネットワークアドレスが定められており、ＬＡＮ１に接続された携帯端末１００とＬＡＮ２に接続された画像形成装置２００のネットワークアドレスは異なる。すなわち携帯端末１００と画像形成装置２００とが属するネットワークセグメントは異なる。
【００１６】
ルータ３０１は、ネットワーク９９をＬＡＮ１とＬＡＮ２に分割するとともに、ＬＡＮ１・２間の通信を制御する。すなわち、ＬＡＮ１に接続されている携帯端末１００が、例えば、ＬＡＮ１に接続されている据え置き型の装置にＭＡＣフレーム（以下、単に「フレーム」という。）を送信する場合、ルータ３０１を含む全ての機器が受信可能であり、各機器は宛先ＭＡＣアドレスが自機宛のフレームを選択的に受信する。ルータ３０１は、フレームの宛先ＭＡＣアドレスが自機宛の場合、宛先のＩＰアドレスを参照してネットワークアドレスを特定し、例えば、ＬＡＮ２にフレームを中継する。また、ルータ３０１にはインターネットが接続されており、宛先のＩＰアドレスによってはインターネット側にＩＰ層のパケットを送信する等の経路制御を行う。なお、ネットワーク９９は、図１に示された構成に限定されず、その他のＬＡＮ、イントラネット、インターネット等を介した構成でもよい。
【００１７】
携帯端末１００は、無線ＬＡＮの通信機能、スピーカ及びマイクを備えていればよく、スマートフォン、タブレット端末、ノートＰＣ、ＰＤＡ（Personal  Digital  Assistants）、携帯電話等も携帯端末１００となりうる。携帯端末１００は、ＬＡＮに接続するための通信装置を予め有しているか、又は、ＬＡＮに接続するためのアダプタを装着可能になっておりＩＰアドレス及びＭＡＣアドレスを有している。
【００１８】
画像形成装置２００は、ネットワーク９９（有線、無線は問わない。）を介して通信する通信機能、スピーカ及びマイクを備え、電子データを出力する情報処理装置の一例である。ここで、電子データとは、例えば、文字コードに変換された文字データ、ビットマップデータやＪＰＥＧ形式の画像に変換された画像データ等をいう。画像形成装置２００は、例えば、印刷、スキャン、コピー、及びファクシミリ等のうちの二以上の機能を一台の筐体によって実現する複合機である。また、いずれか一つの機能を単体で有する機器が画像形成装置２００として用いられてもよい。また、画像形成装置２００は、上記機能を備えていればよく、例えばプロジェクタ等であってもよい。本実施形態では、携帯端末１００が画像形成装置２００と通信することで、画像を印刷したり、ファックス送信したりする。
［ハードウェア構成］
＜携帯端末＞
図２は、本発明の実施の形態における携帯端末１００のハードウェア構成の一例を示す図である。携帯端末１００は、可搬型の携帯端末の一例である。
【００１９】
携帯端末１００は、ＣＰＵ１０１、ＲＯＭ１０２、ＲＡＭ１０３、ＮＶＲＡＭ１０４、表示部１０５、操作部１０６、メディアＩ／Ｆ１０７、無線ＬＡＮ通信部１０８及びスピーカ１１０とマイク１１１とを含む音波入出力部１０９等のハードウェアを有する。
【００２０】
ＣＰＵ１０１は、ＮＶＲＡＭ１０４に記憶された携帯端末用のプログラム１１２を実行し、携帯端末１００の動作を制御する。
【００２１】
ＲＯＭ１０２には、ＩＰＬ（Initial  Program  Loader）や静的なデータが記憶されている。
【００２２】
ＲＡＭ１０３は、ＣＰＵ１０１がプログラム１１２を実行する際のワークエリアとして使用される。
【００２３】
ＮＶＲＡＭ１０４にはＣＰＵ１０１が実行するプログラム１１２が記憶されている。プログラム１１２は、ＯＳ（例えば、Ａｎｄｏｒｏｉｄ（登録商標）、ｉＯＳ（登録商標）、Ｗｉｎｄｏｗｓ（登録商標））、ミドルウェア及び携帯端末１００の機能を提供するプログラムが含まれる。
【００２４】
表示部１０５は、ユーザに対する情報の表示出力がされる液晶や有機ＥＬ（Electro  Luminescence）等のユーザインタフェース（ＵＩ）画面である。なお、本発明の実施の形態において表示部１０５はタッチパネルを一体に有している。
【００２５】
操作部１０６は、ユーザが設定や命令等の入力操作を行うためのハードキーやボタン及び表示部１０５内にあるタッチパネル等によるソフトキーである。入力された操作内容はＣＰＵ１０１に通知される。
【００２６】
メディアＩ／Ｆ１０７は、フラッシュメモリ等の記録メディアに対するデータの読み出し又は書き込み（記憶）を制御する。
【００２７】
無線ＬＡＮ通信部１０８は、ＩＥＥＥ８０２．１１ｂ／１１ａ／１１ｇ／１１ｎ規格に基づき変調方式、伝送速度、周波数等を制御し、受信した電波をデジタル信号に変換する。また、ＣＰＵ１０１から発信要求されたデータを規格に従って変調等して電波として発信する。なお、本発明の実施の形態において、無線ＬＡＮを用いた通信に限らず、ＩＥＥＥ８０２．３規格に準拠する有線ＬＡＮ等であってもよい。この場合、無線ＬＡＮ通信部１０８の代わりにイーサネット（登録商標）カード等が用いられる。
【００２８】
スピーカ１１０は、音波出力部として機能し、電気信号を音波に変換し、音波を発信する。
【００２９】
マイク１１１は、音波入力部として機能し、音波を受信し、音波を電気信号に変換する。本発明の実施の形態において、マイク１１１は、画像形成装置２００から送信される音波を受信したり、携帯端末１００の周囲のノイズを集音したりする。
【００３０】
プログラム１１２は、インストール可能な形式又は実行可能な形式のファイルで、コンピュータで読み取り可能な記録メディアに記録して配布される。また、プログラム１１２は、所定のサーバからインストール可能な形式又は実行可能な形式のファイルで携帯端末１００に配布されてもよい。
【００３１】
＜画像形成装置＞
図３は、本発明の実施の形態における画像形成装置２００のハードウェア構成の一例を示す図である。画像形成装置２００は、コントローラ２０１、スキャナ２０７、プリンタ２０８、モデム２０９、操作パネル２１０、ネットワーク通信部２１１、音波入出力部２１２及びＳＤカードスロット２１５等のハードウェアを有する。
【００３２】
コントローラ２０１は、ＣＰＵ２０２、ＲＡＭ２０３、ＲＯＭ２０４、ＨＤＤ２０５、及びＮＶＲＡＭ２０６等を有する。ＲＯＭ２０４には、画像形成装置用の各種のプログラムやプログラムによって利用されるデータ等が記憶されている。ＲＡＭ２０３は、プログラムをロードするための記憶領域や、ロードされたプログラムのワーク領域等として用いられる。ＣＰＵ２０２は、ＲＡＭ２０３にロードされたプログラムを処理することにより、各種の機能を実現する。ＨＤＤ２０５には、プログラムやプログラムが利用する各種のデータ等が記憶される。ＮＶＲＡＭ２０６には、画像形成装置２００の各種の設定情報等が記憶される。
【００３３】
スキャナ２０７は、原稿から画像データ等を読み取るためのハードウェアである。
【００３４】
プリンタ２０８は、ＰＤＬ形式の印刷データを印刷用紙に印刷するためのハードウェアである。
【００３５】
モデム２０９は、電話回線に接続するためのハードウェアであり、ファックス通信による画像データ等の送受信を実行するために用いられる。
【００３６】
操作パネル２１０は、ユーザからの入力の受け付けを行うためのボタン等の入力手段や、液晶パネル等の表示手段等を備えたハードウェアである。操作パネル２１０は、タッチパネルであってもよい。
【００３７】
ネットワーク通信部２１１は、有線又は無線の別は問わないＬＡＮ等のネットワークに接続するためのハードウェアである。本発明の実施の形態において、ＩＰアドレスを用いて携帯端末１００と通信し、印刷データの送受信を行う。
【００３８】
音波入出力部２１２は、音波出力部であるスピーカ２１３及び音波入力部であるマイク２１４を有する。スピーカ２１３は、電気信号を音波に変換し、音波を発信する。マイク２１４は、音波を受信し、音波を電気信号に変換する。なお、本発明の実施の形態において、画像形成装置２００と音波を送受信する携帯端末１００は複数存在する場合があり、携帯端末１００の位置を予め特定できない。そのため、スピーカ２１３及びマイク２１４は、不特定の方向に対する送受信を可能とする無指向性であることが望ましい。
【００３９】
ＳＤカードスロット２１５は、ＳＤカード６００に記憶されたプログラムを読み取るために利用される。すなわち、画像形成装置２００では、ＲＯＭ２０４に記憶されたプログラムだけでなく、ＳＤカード６００に記憶されたプログラムもＲＡＭ２０３にロードされ、実行され得る。なお、他の記録媒体（例えば、ＣＤ−ＲＯＭ又はＵＳＢ（Universal  Serial  Bus）メモリ等）によってＳＤカード６００が代替されてもよい。すなわち、ＳＤカード６００の位置付けに相当する記録媒体の種類は所定のものに限定されない。この場合、ＳＤカードスロット２１５は、記録媒体の種類に応じたハードウェアによって代替されればよい。
［機能構成］
＜携帯端末＞
図４は、本発明の実施の形態における携帯端末１００の機能構成の一例を示す図である。各機能はＣＰＵ１０１がプログラムを実行し、ハードウェアと協働することで実現される。
【００４０】
携帯端末１００は、ユーザインタフェース手段１２１、アドレス情報取得要求生成手段１２２、音波インタフェース手段１２３、信号解析手段１２４、アドレス情報受付手段１２５、接続情報記憶手段１２６、再送要求手段１２７、ノイズ強度閾値記憶手段１２８、接続要求手段１２９、ネットワークインタフェース手段１３０、印刷データ記憶手段１３１及び印刷要求手段１３２等を有する。音波インタフェース手段１２３は、音波送信手段１２３１と音波受信手段１２３２と周辺ノイズ検知手段１２３３とを有する。なお、これらの機能のうちアドレス情報取得要求生成手段１２２、音波インタフェース手段１２３、信号解析手段１２４、アドレス情報受付手段１２５、再送要求手段１２７及び接続要求手段１２９は携帯端末１００用のアドレス情報取得アプリケーション１２０として実現されている。したがって、図３に示す携帯端末１００のハードウェア要素を備えていれば、アドレス情報取得アプリケーション１２０をインストールすることにより、画像形成システム１の機能の利用が可能となる。
【００４１】
ユーザインタフェース手段１２１は、ユーザが情報や命令等を入力するためにタッチパネル等の操作部１０６を制御するとともに、ユーザに対して情報を出力表示するために表示部１０５を制御する。本発明の実施の形態において、ユーザインタフェース手段１２１は、画像形成装置２００のアドレス情報を取得するために操作する情報入力画面を表示し、ユーザからのアドレス情報取得処理の命令を受け付けると、アドレス情報取得要求生成手段１２２に受け付けた命令を通知する。また、ユーザインタフェース手段１２１は、アドレス情報の取得可否に関する結果を示す情報を表示する。
【００４２】
アドレス情報取得要求生成手段１２２は、画像形成装置２００のＩＰアドレスを取得するためのアドレス情報取得要求信号を生成する。アドレス情報取得要求生成手段１２２はアドレス情報取得要求信号を生成すると、音波インタフェース手段１２３にアドレス情報取得要求信号の音波による送信を要求する。また、アドレス情報取得要求生成手段１２２は、デジタル信号からアナログ信号への変換処理を行う。なお、アドレス情報取得要求信号の信号フォーマットについては、後述する図８を用いて説明する。
【００４３】
音波インタフェース手段１２３は、アドレス情報取得要求を音波として発信処理する音波送信手段１２３１と、音波に含まれたＩＰアドレス情報を受信処理する音波受信手段１２３２と、周辺ノイズ検知手段１２３３とを有する。音波送信手段１２３１は、音波出力部であるスピーカ１１０を制御し、アドレス情報取得要求生成手段１２２により生成された電気信号のアドレス情報取得要求を音波に変換し、発信する。音波受信手段１２３２は、音波入力部であるマイク１１１により音波から変換された電気信号を信号解析手段１２４に転送する。周辺ノイズ検知手段１２３３は、マイク１１１を制御し、携帯端末１００の周辺におけるノイズを検知し、再送要求手段１２７に通知する。
【００４４】
信号解析手段１２４は、音波受信手段１２３２から通知されるマイク１１１により変換された電気信号（アナログ信号）をデジタル信号に変換し、解析する。次いで、信号解析手段１２４は、画像形成装置２００から送信されたアドレス情報信号として有意であるか否かを判定する。その解析の結果、有意であると判定された場合、受信したアドレス情報信号及びその受信時刻をアドレス情報受付手段１２５に通知するとともに、再送要求手段１２７にアドレス情報の受信時刻を通知する。一方、解析の結果、有意でないと判定された場合、信号は破棄する。ここで、受信した信号が有意であるか否か、すなわち画像形成装置２００から送信されたアドレス情報信号であるか否かは、アドレス情報信号に含まれるアドレス情報信号であることを示すプリアンブルの検出により判断する。
【００４５】
アドレス情報受付手段１２５は、信号解析手段１２４から通知されたアドレス情報信号からその信号に含まれる画像形成装置２００のＩＰアドレスと、受信したアドレス情報信号が再送であるかを示す再送フラグとを取得する。そして、これらアドレス情報信号から取得した情報とアドレス情報信号の受信時刻とを対応付けて接続情報記憶手段１２６に記憶する。また、アドレス情報受付手段１２５は、接続要求手段１２９にアドレス情報（ＩＰアドレス）を含むネットワーク９９を用いた接続開始要求を通知する。
【００４６】
接続情報記憶手段１２６は、アドレス情報信号の受信時刻とアドレス情報信号に含まれるＩＰアドレス等の情報等とを対応付けて例えばＲＡＭ１０３等に記憶する。
【００４７】
図５は、本発明の実施の形態における接続情報記憶手段１２６に記憶される情報の構成の一例を示す図である。図５に示されるように、接続情報記憶手段１２６には、管理ＩＤ、ＩＰアドレス、アドレス情報信号の受信時刻及びアドレス情報信号の送信回数が記憶される。管理ＩＤは、接続情報記憶手段１２６においてＩＰアドレスを管理するために一意に割り振られる識別番号である。ＩＰアドレスは、アドレス情報信号に含まれていた画像形成装置２００のＩＰアドレスである。図５の例では、ＩＰｖ４の形式のＩＰアドレスとしているが、ＩＰｖ６の形式であってもよい。受信時刻は、アドレス情報信号を受信した時刻であって、信号解析手段１２４がアドレス情報信号を受け付けた時刻である。再送フラグは受信したアドレス情報信号が再送によるものであるか否かを示す情報である。再送フラグは２ｂｉｔで表示され、それぞれ次の内容を示す。
−「００」：初回のアドレス情報取得要求に対する応答のアドレス情報信号に含まれたＩＰアドレスであって、再送のアドレス情報取得要求の応答待ち状態ではない場合
−「０１」：初回のアドレス情報取得要求に対する応答のアドレス情報信号に含まれたＩＰアドレスであって、再送のアドレス情報取得要求の応答待ち状態である場合
−「１０」：再送されたアドレス情報取得要求に対する応答に含まれたＩＰアドレス
したがって、図５の例では、管理ＩＤ「１」の再送フラグは「０１」であり、初回のアドレス情報取得要求に対する応答に含まれたＩＰアドレスであることを示しており、そのＩＰアドレスが画像形成装置２００の正規なものであるかを確認するためにアドレス情報取得要求が再送されている状態である。そして管理ＩＤ「２」の再送フラグは「１０」であり、管理ＩＤ「１」のＩＰアドレスに対応する再送により再度取得されたＩＰアドレスであることを示している。また、管理ＩＤ「１」と管理ＩＤ「２」とが対応することは、それぞれの受信時刻の差が所定の時間内（例えば３０秒以内）であるか否かにより判断する。
【００４８】
図４に戻り説明する。
【００４９】
再送要求手段１２７は、信号解析手段１２４からアドレス情報信号の受信時刻が通知されると、その受信時刻における携帯端末１００の周辺のノイズ強度（周辺ノイズ強度）を参照する。周辺のノイズは、周辺ノイズ検知手段１２３３から再送要求手段１２７に通知されており、再送要求手段１２７は現在時刻から遡った所定の時間（例えば１分間）のノイズ強度をメモリ（例えばＲＡＭ１０３等）に記憶する。そして、再送要求手段１２７は、アドレス情報信号の受信時刻におけるノイズ強度が、ノイズ強度閾値記憶手段１２８に記憶されている所定の閾値以上であるか否かを判定する。受信時刻におけるノイズ強度は、例えば、受信時刻から遡って１０秒間の平均値である。なお、ノイズ強度の短時間変動を考慮する場合は、ノイズ強度は数秒（例えば１〜２秒）毎の平均としてもよい。ここで判定により周辺ノイズ強度が所定の閾値未満であれば、再送要求手段１２７は、アドレス情報取得要求の再送を実行しないという判定結果を信号解析手段１２４に通知する。一方、周辺ノイズ強度が所定の閾値以上であれば、アドレス情報取得要求生成手段１２２にアドレス情報取得要求の再送を要求する。
【００５０】
ノイズ強度閾値記憶手段１２８は、アドレス情報取得要求を再送するか否かの判定の基準として用いられるノイズ強度の閾値を記憶する。
【００５１】
図６は、本発明の実施の形態におけるノイズ強度閾値記憶手段１２８に記憶される情報の構成の一例を示す図である。図６に示すように、ノイズ強度閾値記憶手段１２８には、閾値ＩＤと、周波数帯域の上限及び下限と、音圧レベル等が記憶されている。閾値ＩＤは、ノイズ強度閾値記憶手段１２８において閾値を一意に識別する識別番号である。音圧レベルは、単位をｄＢ（デシベル）とするノイズ強度の閾値である。周波数帯域は単位がＨｚで表示され、周波数帯域の上限値と下限値とが設定できる。図６の例では、周波数帯域が
０〜３０００Ｈｚかつ６０ｄＢ以上のノイズ強度の場合、ノイズ強度が所定の閾値以上であると判定される。ノイズ強度閾値記憶手段１２８は、周波数帯域毎に任意に閾値（音圧レベル）を設定できる。
【００５２】
図４に戻り説明する。
【００５３】
接続要求手段１２９は、アドレス情報受付手段１２５からの画像形成装置２００のＩＰアドレスを含む接続開始要求を受け付けると、ネットワーク９９を介して、通知されたＩＰアドレスを宛先アドレスとしてセッションの確立を行う。ここでセッションの確立とは、例えばＴＣＰセッションの確立である。なお、後述する印刷要求手段１３２からの印刷要求においてＵＤＰが用いられる場合は、事前のセッション確立処理は不要である。なお、ネットワーク９９を利用した携帯端末１００と画像形成装置２００との接続は、ＴＣＰ及びＵＤＰに限らず、例えばＳＰＸ（Sequenced  Packet  Exchange）等のプロトコルであってもよい。
【００５４】
ネットワークインタフェース手段１３０は、ネットワーク９９を介した通信の制御を行い、画像形成装置２００と通信する。本発明の実施の形態では、ネットワークインタフェース手段１３０はＩＥＥＥ８０２．１１規格に準拠する無線ＬＡＮ通信を行う。
【００５５】
印刷データ記憶手段１３１は、画像形成装置２００において印刷する画像等の電子データ（印刷データ）を記憶する。
【００５６】
印刷要求手段１３２は、ユーザによる操作部１０６での入力操作に基づき、画像形成装置２００に、ネットワークインタフェース手段１３０を介して印刷データを出力する印刷要求を送信する。なお、本発明の実施の形態において印刷要求には印刷データ記憶手段１３１に記憶されている印刷対象の画像データ等が含まれる。但し、印刷対象のデータは印刷要求に含まれなくてもよく、例えば、印刷要求に印刷データの保存先アドレスが指定されてもよい。
【００５７】
＜画像形成装置＞
図７は、本発明の実施の形態における画像形成装置２００の機能構成の一例を示す図である。各機能はＣＰＵ２０２がプログラムを実行し、ハードウェアと協働することで実現される。
【００５８】
画像形成装置２００は、音波インタフェース手段２２１、信号解析手段２２２、アドレス情報取得要求受付手段２２３、アドレス情報信号生成手段２２４、記憶手段２２５、ネットワークインタフェース手段２２６、接続要求受付手段２２７、印刷要求受付手段２２８、印刷データ生成手段２２９、印刷データ出力手段２３０及び表示手段２３１等を有している。
【００５９】
音波インタフェース手段２２１は、音波を発信処理する音波送信手段２２１１と音波を受信処理する音波受信手段２２１２とを有する。音波送信手段２２１１は、スピーカ２１３を制御し、電気信号を音波に変換し、発信する。音波受信手段２２１２は、マイク２１４によって音波から変換された電気信号を受信処理する。
【００６０】
信号解析手段２２２は、マイク２１４によって変換された電気信号をデジタル信号に変換し、変換された信号が携帯端末１００から発信されたアドレス情報取得要求信号であるか否かを判定する。判定は、例えば、受信した信号の信号フォーマットに設定されるアドレス情報取得要求信号であることを示すプリアンブルが検出されるか否かにより行われる。解析した結果、アドレス情報取得要求信号であると判定された場合は、解析した結果をアドレス情報取得要求受付手段２２３に出力する。一方、解析した結果、アドレス情報取得要求信号であると判定されなかった場合は、受信した信号を破棄する。
【００６１】
アドレス情報取得要求受付手段２２３は、信号解析手段２２２により解析されたアドレス情報取得要求信号を受け付け、アドレス情報信号生成手段２２４に、画像形成装置２００のＩＰアドレスが含まれた応答であるアドレス情報信号の生成を要求する。
【００６２】
アドレス情報信号生成手段２２４は、アドレス情報取得要求信号に対する応答であるアドレス情報信号を生成する。アドレス情報信号は、画像形成装置２００のアドレス情報に加え、受け付けたアドレス情報信号が初回であるか再送であるかをアドレス情報取得要求に含まれる再送フラグに基づき判断し、アドレス情報信号に、初回又は再送のアドレス情報信号を識別する再送フラグが設定される。具体的な処理手順は、図８において後述する。
【００６３】
記憶手段２２５は、通信する際に用いる画像形成装置２００のＩＰアドレスやＭＡＣアドレス等が記憶される。記憶手段２２５には、例えばＲＡＭ２０３、ＲＯＭ２０４、ＨＤＤ２０５及びＮＶＲＡＭ２０６等が用いられる。
【００６４】
ネットワークインタフェース手段２２６は、ＩＰアドレスを利用しネットワーク９９を介して、携帯端末１００と通信する。
【００６５】
接続要求受付手段２２７は、ネットワークインタフェース手段２２６を介して、携帯端末１００から送信された接続要求を受け付けると、セッションを確立する。
【００６６】
印刷要求受付手段２２８は、ネットワークインタフェース手段２２６を介して、印刷要求を受信すると、印刷データ生成手段２２９に、ＰＤＬ形式の印刷データの生成を要求する。
【００６７】
印刷データ生成手段２２９は、印刷要求受付手段２２８からの要求に基づき、プリンタドライバを用いて、例えば携帯端末１００から発信された印刷対象の画像データ等をＰＤＬ形式の印刷データに変換する。
【００６８】
印刷データ出力手段２３０は、プリンタ２０８を制御して、変換されたＰＤＬ形式の印刷データに基づく印刷処理を実行する。具体的には、印刷データ出力手段２３０が、ＰＤＬ形式のデータをビットマップデータに変換し、その後、プリンタ２０８によって、変換されたビットマップデータに基づく画像等が印刷された印刷用紙が出力される。
【００６９】
表示手段２３１は、ユーザに対する情報を操作パネル２４３上に表示出力する表示制御及びユーザが操作パネル２４３により画像形成装置２００に情報を入力する操作制御を行う。
［音波による通信方法］
本発明の実施の形態における音波によりアドレス情報を携帯端末１００と画像形成装置２００との間で通信する方法を説明する。
【００７０】
本発明の実施の形態において、画像形成システム１は、図８に示す信号フォーマットによりアドレス情報（ＩＰアドレス）を音波で送受信する。なお、図８に示す信号フォーマットは、携帯端末１００から画像形成装置２００に送信されるアドレス情報取得要求信号と、画像形成装置２００から携帯端末１００に送信されるアドレス情報信号とに共通して用いられる。
【００７１】
図８は、本発明の実施の形態における画像形成システム１での音波によるアドレス情報の通信の仕組みの一例を示す図である。
【００７２】
図８（ａ）は、アドレス情報信号の信号フォーマットとそれを用いた音波通信の仕組みの一例を示す図である。図８（ａ）に示すように、アドレス情報信号は、プリアンブル（８ｂｉｔ）、開始フラグ（１ｂｉｔ）、再送フラグ（２ｂｉｔ）、ペイロード（３２ｂｉｔ）及び終了フラグ（１ｂｉｔ）のフィールドを有する。図８（ａ）中の「Ｔ１」は音波による送信時に要する１ビットあたりの時間（ビットタイム）であり、予め画像形成システム１において定められた所定の音波の周波数に基づき決定される。所定の音波の周波数をｆとすると、Ｔ１＝ｎ×１／ｆ（ｎは自然数）として表される。
【００７３】
プリアンブルは、信号の受信時に同期をとるためのフィールドであり、本発明の実施の形態において８ｂｉｔが全て「１」として設定される。例えば、画像形成装置２００から携帯端末１００にアドレス情報信号が音波により送信された場合、携帯端末１００ではプリアンブルが検出されるとその音波に含まれる信号がアドレス情報信号として有意であると判断する。同様に、携帯端末１００から画像形成装置２００に送信されるアドレス情報取得要求信号の場合も画像形成装置２００がプリアンブルを検出すると、その信号をアドレス情報取得要求信号として有意と判断する。
【００７４】
開始フラグは、有効フレームが開始されることを示すための１ｂｉｔのフィールドであり、本発明の実施の形態において「０」と設定される。
【００７５】
再送フラグは、初回若しくは再送のアドレス情報取得要求信号であるか又アドレス情報信号が初回若しくは再送による応答であるかを示す２ｂｉｔのフィールドである。再送フラグは上述したようにそれぞれ次の場合に設定される。
−「００」：初回のアドレス情報取得要求信号である場合又は初回のアドレス情報取得要求に対する応答のアドレス情報信号である場合
−「０１」：再送のアドレス情報取得要求信号である場合
−「１０」：再送のアドレス情報取得要求信号に対する応答のアドレス情報信号である場合
ペイロードは、データ本体であって、本発明の実施の形態においてＩＰアドレスが設定される３２ｂｉｔのフィールドである。図８（ａ）の例では、ペイロードにＩＰｖ４のアドレス「１９２．１６８．１．２」を２進数に変換した値が設定されている。なお、ペイロードは、サブネットを設定するフィールドを追加したり、ＩＰｖ６のアドレス用に拡張したりしてもよい。終了フラグは信号の終了を示す１ｂｉｔのフィールドであり、本発明の実施の形態において「０」が設定される。
【００７６】
なお、アドレス情報信号（アドレス情報取得要求信号）の信号フォーマットは図８（ａ）に示すフィールドやビット数に限らず、拡張や変更が可能である。
【００７７】
本発明の実施の形態において、フィールド内に「１」が設定されると、所定の周波数を有する１ビットタイムＴ１のパルス９０１の音波が送信される。また、フィールド内に「０」が設定されると、一つの「０」あたり時間Ｔ１の間パルス９０１を発生させない。本発明の実施の形態の音波通信は、発生したパルス９０１の数（時間）及びパルス９０１の間隔を検出することにより実現される。
【００７８】
なお、上述した機器において受信した信号がアドレス情報信号又はアドレス情報取得要求信号として有意であるか否かの判定は、プリアンブルに対応するパルス９０１の検出有無により判定する方法に限らない。例えばアドレス情報信号又はアドレス情報取得要求信号であることを示す所定のビットタイム（例えばＴ１とは異なるＴ２）を設定し、それの検出有無により判定してもよい。
【００７９】
図８（ｂ）は、パルス９０１をパルス列９０２として表わした図である。パルス９０１のデューティ比は例えば５０％である。なお、信号のフィールド内に「０」が設定された場合のデューティ比を例えば３０％としたパルスを発生させ、フィールドの設定値「１」と「０」との相違を検出させるようにしてもよい。
[動作手順]
本発明の実施の形態における携帯端末１００が画像形成装置２００のアドレス情報を取得し、画像形成装置２００が印刷処理を実行するまでの画像形成システム１の動作手順を説明する。本発明の実施の形態の画像形成システム１は、携帯端末１００の周辺のノイズ状況に応じてアドレス情報取得の動作手順が異なる。そのため携帯端末１００の周辺のノイズ状況が所定の閾値以上である場合と所定の閾値未満である場合との動作手順をそれぞれ説明する。
【００８０】
〔周辺ノイズ強度が閾値以上の場合〕
図９は、本発明の実施の形態における周辺ノイズ強度が閾値以上の場合の画像形成システム１の動作手順の一例を示すシーケンス図である。
【００８１】
図９の初期状態において、画像形成装置２００のＩＰアドレスが不明であるため、携帯端末１００はネットワーク９９を介して、画像形成装置１００に接続できていない。また、携帯端末１００及び画像形成装置２００において、予めインストールされている携帯端末１００が画像形成装置２００のＩＰアドレスを取得するためのＩＰアドレス取得アプリケーションが起動されている。
【００８２】
Ｓ１０１：携帯端末１００の表示部１０５には、画像形成装置２００のＩＰアドレスの取得を実行するか否かを選択する図１０に示すＩＰアドレス取得アプリケーション起動後の初期画面が表示されている。
【００８３】
図１０は、本発明の実施の形態におけるＩＰアドレス取得アプリ起動後の初期画面の一例を示す図である。図１０に示されるように、初期画面には「ＹＥＳ」、「ＮＯ」のソフトキーが表示されている。「ＹＥＳ」が選択されると、アドレス情報取得の処理が実行される。「ＮＯ」が選択されると、アドレス情報取得の処理は実行されずにＩＰアドレス取得アプリは終了する。
【００８４】
図９に戻り説明する。
【００８５】
ユーザが携帯端末１００の操作部１０６を操作し、初期画面のソフトキー「ＹＥＳ」を選択すると、ユーザインタフェース手段１２１はアドレス情報取得要求生成手段１２２に、アドレス情報の取得処理の実行を要求する。
【００８６】
Ｓ１０２：アドレス情報取得要求生成手段１２２は、図８に示される信号フォーマットに基づきアドレス情報取得要求信号を生成する。ここで生成されるアドレス情報取得要求信号に含まれる再送フラグには、初回のアドレス情報取得要求であることを示す「００」が設定される。アドレス情報取得要求生成手段１２２は、生成したデジタル信号のアドレス情報取得要求信号をアナログ信号（電気信号）に変換し、音波送信手段１２３１にアドレス情報取得要求信号の音波による送信処理を要求する。
【００８７】
Ｓ１０３：音波送信手段１２３１は、スピーカ１１０を制御し電気信号のアドレス情報取得要求信号を音波に変換し、音波として送信する。画像形成装置２００の音波受信手段２２１２はマイク２１４を制御し、携帯端末１００から送信された音波を受信し、音波を電気信号に変換する。
【００８８】
Ｓ１０４：信号解析手段２２２は、マイク２１４によって変換された電気信号をデジタル信号に変換し、変換された信号が携帯端末１００から送信されたアドレス情報取得要求信号であるか否かを判定する。具体的には、例えば受信した信号の信号フォーマットに設定されるプリアンブルに対応するパルス９０１（図８参照）が検出された場合はアドレス情報取得要求信号であると判定する。解析の結果、アドレス情報取得要求信号であると判定された場合は、アドレス情報取得要求信号をアドレス情報取得要求受付手段２２３に通知する。そしてアドレス情報取得要求受付手段２２３は、アドレス情報信号生成手段２２４にアドレス情報信号の生成を要求する。一方、解析の結果、アドレス情報取得要求信号であると判定されなかった場合は、受信した信号を破棄する。
【００８９】
Ｓ１０５：アドレス情報信号生成手段２２４は、画像形成装置２００のＩＰアドレスが含まれたアドレス情報信号を生成する。ここで生成されるアドレス情報信号に含まれる再送フラグには、初回のアドレス情報取得要求に対する応答であることを示す「００」が設定される。アドレス情報信号生成手段２２４は、デジタル信号であるアドレス情報信号を電気信号に変換し、音波送信手段２２１１に音波による送信を要求する。
【００９０】
Ｓ１０６：音波送信手段２２１１は、スピーカ２１３を制御し、電気信号であるアドレス情報信号を音波に変換し送信する。携帯端末１００の音波受信手段１２３２がマイク１１１を制御し、音波信号を受信し、音波を電気信号に変換する。
【００９１】
Ｓ１０７：信号解析手段１２４は、マイク１１１によって変換された電気信号をデジタル信号に変換し、変換された信号が携帯端末１００から送信されたアドレス情報信号であるか否かを解析する。また、信号解析手段１２４は、受信したアドレス情報信号に含まれる再送フラグが初回のアドレス情報の送信であることを示す「００」が設定されているか否かを判定する。ステップＳ１０６において受信したアドレス情報信号は、初回のアドレス情報取得要求に対する応答であるため、再送フラグは「００」と設定されており、信号解析手段１２４は再送要求手段１２７に携帯端末１００の周辺のノイズの状況の問い合わせを行う。このとき信号解析手段１２４はアドレス情報信号の受信時刻を再送要求手段１２７に通知する。
【００９２】
Ｓ１０８：再送要求手段１２７は、周辺ノイズ検知手段１２３３から携帯端末１００の周辺（例えば携帯端末１００を中心に半径約２メートル）のノイズ強度を取得し、携帯端末１００のメモリ（例えばＲＡＭ１０３等）に記憶している。なお、周囲のノイズ強度は例えば現在時刻から遡って所定の時間（例えば1分間）のデータを記憶する。また周囲のノイズ強度を１０秒間の平均値として記憶すれば記憶領域を節約することが可能である。再送要求手段１２７は、周囲のノイズ強度とノイズ強度閾値記憶手段１２８に記憶されたノイズ強度の閾値とを比較し、周囲のノイズ強度が閾値以上であるか否かを判定する。
【００９３】
ここで図９に示されるシーケンス図は、周囲のノイズ強度が閾値以上である場合のシーケンス図である。すなわち、携帯端末１００の周囲のノイズ強度が大きいため、画像形成装置２００から音波として送信されたアドレス情報信号が正確に受信できていない可能性が高い場合である。再送要求手段１２７は、アドレス情報取得要求手段１２２に、アドレス情報取得要求の再送を要求する。
【００９４】
Ｓ１０９：アドレス情報取得要求手段１２２は、再送のためのアドレス情報取得要求信号を生成する。ここで、アドレス情報取得要求に含まれる再送フラグを「０１」と設定する。再送フラグ「０１」はアドレス情報取得要求が再送であることを示す。アドレス情報取得要求生成手段１２２は、生成したデジタル信号のアドレス情報取得要求信号を電気信号に変換し、音波送信手段１２３１にアドレス情報取得要求信号の音波による再送を要求する。
【００９５】
Ｓ１１０：音波送信手段１２３１は、スピーカ１１０を制御し電気信号のアドレス情報取得要求信号を音波に変換し、音波として再送する。画像形成装置２００の音波受信手段２２１２はマイク２１４を制御し、音波を受信し、音波を電気信号に変換する。
【００９６】
Ｓ１１１：信号解析手段２２２は、マイク２１４によって変換された電気信号をデジタル信号に変換し、変換された信号が携帯端末１００から送信されたアドレス情報取得要求信号であるか否かを判定する。解析処理はステップＳ１０４と同様である。
【００９７】
Ｓ１１２：アドレス情報信号生成手段２２４は、画像形成装置２００のＩＰアドレスが含まれたアドレス情報信号を生成する。ここで生成されるアドレス情報信号は再送されたアドレス情報取得要求に対する応答である。したがって、アドレス情報信号に含まれる再送フラグを「１０」に設定する。
【００９８】
Ｓ１１３：音波送信手段２２１１は、スピーカ２１３を制御し、電気信号であるアドレス情報信号を音波に変換し送信する。携帯端末１００の音波受信手段１２３２がマイク１１１を制御し、音波を受信し、音波を電気信号に変換する。
【００９９】
Ｓ１１４：信号解析手段１２４は、マイク１１１によって変換された電気信号をデジタル信号に変換し、変換された信号が携帯端末１００から送信されたアドレス情報信号であるか否かを解析する。解析処理は、ステップＳ１０７の場合と同様である。但し、ステップＳ１１３において受信したアドレス情報信号は、再送されたアドレス情報取得要求に対する応答であるため、再送フラグは「１０」と設定されている。再送フラグが「１０」の場合、信号解析手段１２４はアドレス情報受付手段１２５に、初回のアドレス情報信号に含まれたＩＰアドレスと再送されたアドレス情報信号に含まれるＩＰアドレスとの比較の処理を要求する。
【０１００】
Ｓ１１５：アドレス情報受付手段１２５は、接続情報記憶手段１２６に記憶された初回に受信したＩＰアドレスと再送されたＩＰアドレスとが一致しているか否かを判定する。ここで、ＩＰアドレスが一致していると判定されると、アドレス情報受付手段１２５は、接続要求手段１２９に、一致したＩＰアドレスを宛先アドレスとして、画像形成装置２００にネットワーク９９を用いた接続処理の実行を要求する。
【０１０１】
Ｓ１１６：接続要求手段１２９は、取得したＩＰアドレスを宛先アドレスとしてネットワークインタフェース手段１３０を介して、画像形成装置２００に接続要求を行う。
【０１０２】
Ｓ１１７：画像形成装置２００の接続要求受付手段２２７は、ネットワークインタフェース手段２２６を介して携帯端末１００から送信された接続要求を受信すると、接続を確立するための接続要求応答を携帯端末１００に送信する。
【０１０３】
Ｓ１１８：画像形成装置２００の接続要求受付手段２２７は接続要求応答の送信後、表示手段２３１に接続の完了をユーザに通知する接続完了音（ブザー音）の発信とランプの点灯とを指示する。ここで例えば画像形成装置２００に接続しているユーザ数に応じて、ブザー音の発信回数とランプの点灯色とを変える。ここで接続しているユーザとは、例えばＴＣＰセッションを確立していたり、印刷要求をしていたりするユーザである。このブザー音の発信回数やランプの点灯回数によって、画像形成装置２００がジョブを受け付ける数やビジー状態になる可能性を検知することができ、例えばユーザはビジー状態の画像形成装置２００から他の画像形成装置２００に接続を変更するといった判断が可能となる。
【０１０４】
図１１は、本発明の実施の形態における画像形成装置２００への接続時のブザー音及びランプ点灯色の設定画面の一例を示す図である。図１１に示されるように、画像形成装置２００に接続した人数（接続人数）毎に、ブザー音発信回数とランプ点灯色とを設定できる。接続人数は、携帯端末１００から画像形成装置２００に接続した人数であって、「１」と設定されている場合は１人目の接続であることを意味する。ブザー音発信回数は、例えば「ピッ」のようなビープ音が繰り返される回数であり、「１」であれば１回のビープ音「ピッ」、「２」であれば２回のビープ音「ピッピッ」のような音がスピーカ２１３から発信される。ランプ点灯色は、画像形成装置２００に備わっているランプの点灯色であって、接続人数毎に点灯色を変更できる。
【０１０５】
図９に戻り説明する。
【０１０６】
Ｓ１１９：携帯端末１００のユーザインタフェース手段１２１は表示部１０５に、接続完了を示す情報を表示させる。携帯端末１００の画面に表示される接続完了を示す情報の一例は、後述する図１４を用いて説明する。
【０１０７】
Ｓ１２０：印刷要求手段１３２は、印刷データ記憶手段１３１に記憶される印刷対象の画像等のデータを含む印刷要求を、ネットワークインタフェース手段１３０を介して画像形成装置２００に送信する。
【０１０８】
Ｓ１２１：画像形成装置２００の印刷要求受付手段２２８が印刷要求を受け付けると、印刷データ生成手段２２９にＰＤＬ形式の印刷データの変換を要求する。印刷データ生成手段２２９がＰＤＬ形式に印刷データを変換すると、印刷データ出力手段２３０に印刷データの出力を要求する。印刷データ出力手段２３０はＰＤＬ形式の印刷データをビットマップ形式のデータに変換し、プリンタ２０８を制御し、印刷処理を実行する。その結果、プリンタ２０８より、ビットマップデータによって示される画像等が印刷された印刷用紙が出力される。
【０１０９】
なお、ステップＳ１１５において、接続情報記憶手段１２６に記憶された初回に受信したＩＰアドレスと再送されたＩＰアドレスとが一致していない（不一致）と判定された場合、処理は終了し、ＩＰアドレスが取得できなかったという結果を携帯端末１００の画面に表示させる。但し、例えばＩＰアドレスが不一致であった場合、再度、ステップＳ１０２以降の処理が実行されるようにしてもよい。
【０１１０】
〔周辺ノイズ強度が閾値未満の場合〕
次に、図９に示すステップＳ１０８の周辺ノイズ強度の判定処理において、周囲のノイズ強度が閾値以上でない場合のシーケンスを説明する。すなわち、携帯端末１００の周囲のノイズ強度が小さいため、画像形成装置２００から音波として送信されたアドレス情報信号が正確に受信できている可能性が高い場合である。
【０１１１】
図１２は、本発明の実施の形態における周辺ノイズ強度が閾値未満の場合の画像形成システム１の動作手順の一例を示すシーケンス図である。なお、図１２に示す各ステップについて、図９に示すステップと同じ処理には同一ステップ番号を付与しており、これらの詳細な説明は省略する。
【０１１２】
図１２に示す画像形成システム１の動作手順について、ステップＳ１０１〜Ｓ１０８の処理は図９に示す処理と同じである。図１２の例では、ステップＳ１０８における携帯端末１００の周辺ノイズ強度の判定処理の結果、周辺ノイズ強度が閾値未満であるので、ステップＳ１０８の処理後、取得したアドレス情報（Ｓ１０６）に基づき、ネットワーク９９を用いた画像形成装置２００への接続要求が実行される（Ｓ１１６）。以降、Ｓ１１７〜Ｓ１２１の処理は図９に示す処理と同じである。
【０１１３】
上述した動作手順により、本発明の実施の形態よれば画像形成システム１は、携帯端末１００の周辺のノイズ強度が大きい場合（所定の閾値以上の場合）であっても画像形成装置２００のＩＰアドレスを誤りなく取得し、画像形成装置２００を用いて印刷等の処理を実行することができる。
【０１１４】
なお、本発明の実施の形態において、アドレス情報信号（アドレス情報取得要求信号）の信号送受信手順や信号フォーマット（図８参照）等を予め定義することにより、これら信号送受信手順や信号フォーマット等をソフトウェア開発キット（ＳＤＫ）に盛り込むことができる。このＳＤＫをＩＰアドレス取得アプリケーション１２０・２２０の開発者に提供することにより、開発者はＩＰアドレス取得アプリケーション１２０・２２０を開発することができる。そのため、携帯端末１００や画像形成装置２００本体の開発者又は提供者等に限らず、アプリケーション開発者により作成されたＩＰアドレス取得アプリケーション１２０・２２０を機器にインストールすることにより、本発明の画像形成システム１を動作させることが可能となる。
［処理手順］
本発明の実施の形態における携帯端末１００で実行されるアドレス情報取得の処理手順の詳細を説明する。
【０１１５】
図１３は、本発明の実施の形態における携帯端末１００でのアドレス情報取得の処理手順の一例を示すフローチャート図である。図１３では、具体的に携帯端末１００でのアドレス情報取得要求の生成処理以降、アドレス情報の取得結果が携帯端末１００に出力されるまでの処理手順を示す。
【０１１６】
Ｓ１１：ユーザによる携帯端末１００での画像形成装置２００のＩＰアドレスを取得するための入力操作を受け付けると、アドレス情報取得要求生成手段１２２はアドレス情報取得要求信号を生成する。このときのアドレス情報取得要求信号に含まれる再送フラグには初回の信号であることを示す「００」が設定されている。
【０１１７】
Ｓ１２：音波送信手段１２３１は、スピーカ１１０を制御しアドレス情報取得要求信号を電気信号から音波に変換し送信する。
【０１１８】
Ｓ１３：画像形成装置２００から音波により自機のＩＰアドレスが設定されたアドレス情報信号が送信され、携帯端末１００の音波受信手段１２３２は携帯端末１００のマイク１１１により音波から電気信号に変換された信号を受信する。
【０１１９】
Ｓ１４：信号解析手段１２４は、受信した信号を電気信号からデジタル信号に変換し、その信号を解析する。
【０１２０】
Ｓ１５：信号解析手段１２４は、受信した信号がアドレス情報信号であるか否かをプリアンブルの検出有無に基づき判定する。
【０１２１】
Ｓ１６：受信した信号がアドレス情報信号であると判定された場合（Ｓ１５においてＹＥＳ）、信号解析手段１２４はその受信した信号が再送されたアドレス情報取得要求に対する応答であるかどうかを判定する。具体的には、アドレス情報信号に含まれる再送フラグが再送を示す「１０」であるか否かが判定される。
【０１２２】
Ｓ１７：受信したアドレス情報信号が再送に対する応答ではない場合（Ｓ１６においてＮＯ）、信号解析手段１２４から再送要求手段１２７に携帯端末１００の周辺のノイズ強度の状況の判定処理が要求される。この要求には、受信したアドレス情報信号の受信時刻の情報が含まれている。再送要求手段１２７は、受信時刻から所定の時間（例えば１０秒間）遡った時間における携帯端末１００の周辺のノイズ強度の計測値と、ノイズ強度閾値記憶手段１２８に記憶される所定の閾値（図６参照）とに基づき、周辺ノイズ強度の計測値が所定の閾値以上であるか否かを判定する。ここで所定の閾値以上である場合とは、携帯端末１００の周辺のノイズが大きく、音波により受信したアドレス情報（ＩＰアドレス）が、画像形成装置２００に設定されたＩＰアドレスと異なる可能性が高いことを示している。そして、再送要求手段１２７は、この判定結果を信号解析手段１２４に通知する。
【０１２３】
Ｓ１８：周辺のノイズ強度が閾値以上ではない場合（Ｓ１７においてＮＯ）、この判定結果を受け付けた信号解析手段１２４は、再送フラグを初回のアドレス情報取得要求に対する応答であり、再送待ちでないことを示す「００」に設定したアドレス情報信号を、アドレス情報受付手段１２５に通知する。アドレス情報受付手段１２５は、通知されたアドレス情報（再送フラグ「００」）を接続情報記憶手段１２６に記憶する。また、アドレス情報受付手段１２５は、接続要求手段１２９に受信したＩＰアドレスを宛先アドレスとし、ネットワーク９９を用いた接続処理の実行を要求する。
【０１２４】
Ｓ１９：アドレス情報接続要求手段１２９は、アドレス情報受付手段１２５から通知されたＩＰアドレスを宛先アドレスとし、ネットワークインタフェース手段１３０を介し画像形成装置２００との接続処理を実行する。
【０１２５】
Ｓ２０：接続要求手段１２９は、ネットワーク９９を用いた画像形成装置２００との接続が成功するか否かを判定する。
【０１２６】
Ｓ２１：ネットワーク９９を用いた画像形成装置２００との接続が成功した場合（Ｓ２０においてＹＥＳ）、接続要求手段１２９はユーザインタフェース手段１２１を制御し、取得したＩＰアドレスにより接続が成功したという結果を表示部１０５に表示させる。
【０１２７】
Ｓ２２：ネットワーク９９を用いた画像形成装置２００との接続が成功しなかった場合（Ｓ２０においてＮＯ）、接続要求手段１２９は取得したＩＰアドレスにより接続が失敗したという結果を表示部１０５に表示させる。
【０１２８】
Ｓ２３：ステップＳ１７に戻り、周辺のノイズ強度が閾値以上である場合（Ｓ１７においてＹＥＳ）、この判定結果を受け付けた信号解析手段１２４は、再送フラグを初回のアドレス情報取得要求に対する応答であり、再送のアドレス情報信号の受信待ちであることを示す「０１」に設定したアドレス情報信号を、アドレス情報受付手段１２５に通知する。アドレス情報受付手段１２５は、通知されたアドレス情報（再送フラグは「００」に設定）を接続情報記憶手段１２６に記憶する。また、再送要求手段１２７は、アドレス情報取得要求生成手段１２２にアドレス情報取得要求の再送を要求する。
【０１２９】
Ｓ２４：アドレス情報取得要求生成手段１２２は、再送フラグをアドレス情報取得要求信号の再送であることを示す「０１」に設定したアドレス情報取得要求信号を生成する。次いで、ステップＳ１２以降の処理が実行される。
【０１３０】
Ｓ２５：携帯端末１００からアドレス情報取得要求信号が再送されると、画像形成装置２００は再送に対する応答のアドレス情報信号であることを示す再送フラグ「１０」が設定されたアドレス情報信号を送信する。ここで、携帯端末１００が受信したアドレス情報信号が再送に対する応答である場合（再送フラグが「１０」と設定）（Ｓ１６においてＮＯ）、アドレス情報受付手段１２５は、アドレス情報（再送フラグ「１０」）を接続情報記憶手段１２６に記憶する。
【０１３１】
Ｓ２６：アドレス情報受付手段１２５は、接続情報記憶手段１２６に記憶される再送フラグがそれぞれ「１０」と「０１」とに対応し、両者の受信時刻の差が所定の時間内であるＩＰアドレスを比較する。ここで、受信時刻の差が所定の時間内とは、初回のアドレス情報取得要求に対する応答のＩＰアドレスと、その初回の要求の再送に対する応答のＩＰアドレスとが対応するかどうかを判定するために用いられる。また所定の時間とは、例えばアドレス情報取得要求に対する応答のタイムアウトの時間である。応答のタイムアウトの時間は例えば３０秒であるが、任意に変更可能な値である。そして、初回に取得したＩＰアドレスと再送によって取得したＩＰアドレスとが一致する場合（ＹＥＳ）、ステップＳ１９以降の処理が実行される。一方、初回に取得したＩＰアドレスと再送によって取得したＩＰアドレスとが一致しない場合（ＮＯ）、ステップＳ２７の処理が実行される。
【０１３２】
Ｓ２７：初回に取得したＩＰアドレスと再送によって取得したＩＰアドレスとが一致しないため（Ｓ２６においてＮＯ）、アドレス情報受付手段１２５は、ユーザインタフェース手段１２１を制御し、取得したＩＰアドレス不一致であるため、アドレス情報が取得できなかったという結果を表示部１０５に表示させる。このとき、ユーザに対して、再度アドレス情報取得の実行を要求するか否かを判定させる入力画面を表示させてもよい。
【０１３３】
Ｓ２８：ステップＳ１５に戻り、受信した音波がアドレス情報信号ではないと判定された場合（Ｓ１５においてＮＯ）、アドレス情報取得要求を送信してから所定の時間が経過しているか否かが判定される。ここで所定の時間は、アドレス情報取得要求に対する応答のタイムアウトの時間である。上述したように応答のタイムアウトの時間は例えば３０秒である。そして、所定の時間が経過していない場合（ＮＯ）、ステップＳ１３に戻り音波の受信するために待ち受け状態に移行する。一方、所定の時間が経過した場合（ＹＥＳ）、ステップＳ２９の処理が実行される。
【０１３４】
Ｓ２９：アドレス情報取得要求の送信後、所定の時間が経過した場合（Ｓ２８においてＹＥＳ）、アドレス情報受付手段１２５は、ユーザインタフェース手段１２１を制御し、アドレス情報取得要求に対する応答がないため、アドレス情報が取得できなかったという結果を表示部１０５に表示させる。
【０１３５】
ここで、ステップＳ２１、Ｓ２２、Ｓ２７、Ｓ２９にいて、携帯端末１００の表示部１０５に出力されるアドレス情報取得要求の応答結果を示す画面の例を図１４に示す。
【０１３６】
図１４は、本発明の実施の形態における表示部１０５に表示されるアドレス情報取得要求の応答結果の一例を示す図である。
【０１３７】
図１４（ａ）は、ステップＳ２１において出力される画面である。図１４（ａ）に示されるように、表示部１０５には「接続ＯＫ」、「接続先ＩＰアドレス」及び「ユーザへの印刷処理の実行確認」を示す情報が表示される。ユーザにより印刷処理の実行が選択されると、印刷要求手段１３２によって印刷要求が画像形成装置２００に送信される。
【０１３８】
図１４（ｂ）は、ステップＳ２２において出力される画面である。図１４（ｂ）に示されるように、表示部１０５には「接続ＮＧ」及び「接続ＮＧの理由」を示す情報が表示される。
【０１３９】
図１４（ｃ）は、ステップＳ２７において出力される画面である。図１４（ｃ）に示されるように、表示部１０５には「ＩＰアドレス取得ＮＧ」、「ＩＰアドレス取得ＮＧの理由」及び「ユーザへのＩＰアドレスの再取得の実行確認」を示す情報が表示される。この場合、ＩＰアドレス取得ＮＧの理由は、初回のアドレス情報取得要求に対する応答の含まれたＩＰアドレスと、再送による応答に含まれたＩＰアドレスとが不一致であることが示される。また、ユーザによりアドレス情報の再取得の実行が選択されると、図１３におけるステップＳ１１の処理が実行される。
【０１４０】
図１４（ｄ）は、ステップＳ２９において出力される画面である。図１４（ｃ）に示されるように、表示部１０５には「ＩＰアドレス取得ＮＧ」、「ＩＰアドレス取得ＮＧの理由」及び「ユーザへのＩＰアドレスの再取得の実行確認」を示す情報が表示される。この場合、ＩＰアドレス取得ＮＧの理由は、周辺デバイスからのアドレス情報取得要求に対する応答がなかったことが示される。また、図１４（ｃ）の場合同様にユーザによりアドレス情報の再取得の実行が選択されると、図１３におけるステップＳ１１の処理が実行される。
【０１４１】
上述した処理により、本発明の実施の形態における画像形成システム１は、印刷処理を実行させる画像形成装置２００のＩＰアドレスを把握してない場合においても、印刷要求する携帯端末１００は音波により画像形成装置２００のＩＰアドレスを取得できる。さらに、携帯端末１００の周辺のノイズが大きい場合であっても、音波を用いて誤りなくＩＰアドレスを取得できる。したがって、画像形成システム１を利用することで、簡単に携帯端末１００から画像形成装置２００を用いて印刷処理を実行できる。
［変形例］
本発明の実施の形態の変形例における画像形成システム１は、携帯端末１００における画像形成装置２００のアドレス情報（ＩＰアドレス）の取得後、そのＩＰアドレスを有する画像形成装置２００にＩＰアドレスの送信処理を実行したか否かの確認処理を行う。
【０１４２】
図１５は、本発明の実施の形態の変形例における画像形成システム１の動作手順の一例を示すシーケンス図である。なお、図１５に示す各ステップについて、図９に示すステップと同じ処理には同一ステップ番号を付与しており、これらの詳細な説明は省略する。
【０１４３】
本発明の実施の形態の変形例では、携帯端末１００における初回と再送のＩＰアドレスが一致しているか否かを判定する処理（Ｓ１１５）の結果、ＩＰアドレスが一致する場合、そのＩＰアドレスを宛先アドレスとして、ネットワークインタフェース手段１３０を介してアドレス情報送信確認要求を送信する（Ｓ１１５ａ）。アドレス情報送信確認要求は、取得したＩＰアドレスを有する画像形成装置２００が、音波によるアドレス情報信号の送信処理（Ｓ１１３）を実行したか否かを問い合わせるための要求である。アドレス情報送信確認要求は、アドレス情報取得要求生成手段１２２によって生成される。
【０１４４】
次に画像形成装置２００は、アドレス情報の音波による送信処理（Ｓ１１３）を実行したか否かの確認処理を実行する（Ｓ１１５ｂ）。
【０１４５】
画像形成装置２００においてアドレス情報の送信処理（Ｓ１１３）が実行処理の確認結果を含むアドレス情報送信確認要求応答を、ネットワークインタフェース手段２２６を介して携帯端末１００に送信する（Ｓ１１５ｃ）。
【０１４６】
そして、確認結果がＯＫである場合、すなわちＳ１１３の処理が実行されていることが確認された場合、図１５に示すように取得したＩＰアドレス情報を用いた接続処理が実行される（Ｓ１１６）。以降の処理は、本発明の実施の形態におけるシーケンス（図９参照）と同様である。
【０１４７】
一方、確認結果がＮＧである場合は、再度ステップＳ１０２以降のアドレス情報取得要求の処理が実行される。
【０１４８】
図１６は、本発明の実施の形態の変形例における携帯端末１００でのアドレス情報取得の処理手順の一例を示したフローチャート図である。なお、図１６に示す各ステップについて、図１３に示すステップと同じ処理には同一ステップ番号を付与しており、これらの詳細な説明は省略する。
【０１４９】
本発明の実施形態の変形例において、ステップＳ２０における取得したＩＰアドレスに基づく接続処理により接続できた場合（Ｓ２０においてＹＥＳ）、そのＩＰアドレスを有する画像形成装置２００に、アドレス情報の送信を実際に実行したか否かを問い合わせる（Ｓ２０ａ）。その結果、画像形成装置２００が実際にアドレス情報を送信していた場合、ステップＳ２１の処理が実行される。一方、画像形成装置２００が実際にアドレス情報を送信していなかった場合、取得したＩＰアドレスは誤って受信していたと判断されるため、再度アドレス情報の取得の処理が実行される（Ｓ１１）。
【０１５０】
上述したように、本発明の実施の形態の変形例によれば、画像形成システム１は、取得したＩＰアドレスに基づき、そのＩＰアドレスの送信確認を画像形成装置に行うことで、例えば画像形成装置２００から送信されたＩＰアドレスと、実際に画像形成装置２００に設定されたＩＰアドレスとが不整合である場合を検知することができる。したがって、より精度の高いアドレス情報の取得処理が可能となる。
［その他の変形例］
以上、本発明の実施例について詳述したが、本発明は斯かる特定の実施形態に限定されるものではなく、特許請求の範囲に記載された本発明の要旨の範囲内において、種々の変形、変更が可能である。
【符号の説明】
【０１５１】
１          画像形成システム
１００      携帯端末
１０５      表示部
１１０      スピーカ
１１１      マイク
１２０      ＩＰアドレス取得アプリケーション
１２１      ユーザインタフェース手段
１２２      アドレス情報取得要求生成手段
１２３      音波インタフェース手段（第２のインタフェース）
１２３１    音波送信手段
１２３２    音波受信手段
１２３３    周辺ノイズ検知手段
１２４      信号解析手段
１２５      アドレス情報受付手段
１２６      接続情報記憶手段
１２７      再送要求手段
１２８      ノイズ強度閾値記憶手段
１２９      接続要求手段
１３０      ネットワークインタフェース手段（第１のインタフェース）
１３２      印刷要求手段
２００      画像形成装置
２１３      スピーカ
２１４      マイク
２２０      ＩＰアドレス取得アプリケーション
２２１      音波インタフェース手段（第２のインタフェース）
２２１１    音波送信手段
２２１２    音波受信手段
２２２      信号解析手段
２２３      アドレス情報取得要求受付手段
２２４      アドレス情報信号生成手段
２２５      記憶手段
２２６      ネットワークインタフェース手段（第１のインタフェース）
２２７      接続要求受付手段
２２８      印刷要求受付手段
２３０      印刷データ出力手段
【先行技術文献】
【特許文献】
【０１５２】
【特許文献１】特開２０１０−４１５６３号公報
【図１】
2014179955.tif 000003
【図２】
2014179955.tif 000004
【図３】
2014179955.tif 000005
【図４】
2014179955.tif 000006
【図５】
2014179955.tif 000007
【図６】
2014179955.tif 000008
【図７】
2014179955.tif 000009
【図８】
2014179955.tif 000010
【図９】
2014179955.tif 000011
【図１０】
2014179955.tif 000012
【図１１】
2014179955.tif 000013
【図１２】
2014179955.tif 000014
【図１３】
2014179955.tif 000015
【図１４】
2014179955.tif 000016
【図１５】
2014179955.tif 000017
【図１６】
2014179955.tif 000018